(57)【要約】  RF入力経路と変調された電力増幅器供給を提供するための包絡線経路とを含む包絡線追跡電力増幅器システムであって、入力信号の複数の連続周波数帯の包絡線を検出し、それぞれが出力信号を生成するための、複数の包絡線検出器と、合成包絡線信号を提供するために包絡線検出器の出力を組み合わせるためのコンバイナと電力増幅器入力を表す信号と電力増幅器供給電圧を表す信号とを受け取るように配置されたデジタルプリディストーションブロックとをさらに含む、包絡線追跡電力増幅器システムが開示される。
2016538761.tif 000002
【特許請求の範囲】
【請求項１】
RF経路と包絡線経路とを含む包絡線追跡電力増幅器システムであって、前記包絡線経路は、
入力信号の複数の連続周波数帯の包絡線を検出し、それぞれが出力信号を生成するための、複数の包絡線検出器と、
前記包絡線検出器の前記出力を組み合わせるためのコンバイナと
を含む、包絡線追跡電力増幅器システム。
【請求項２】
前記包絡線経路は、それぞれが前記入力信号を受け取るように適合され、特定の周波数帯の前記包絡線検出器への入力を生成するための対応する複数のフィルタをさらに含む、請求項1に記載の包絡線追跡電力増幅器システム。
【請求項３】
各包絡線検出器は、特定の周波数帯の入力信号を受け取るように適合される、請求項1に記載の包絡線追跡電力増幅器システム。
【請求項４】
前記入力信号は、RF増幅器への入力を提供し、前記包絡線検出器の前記組み合わされた出力に基づいて前記RF増幅器に変調された電力供給を提供する変調器への入力を提供するための包絡線処理回路をさらに含む、請求項1から3のいずれか一項に記載の包絡線追跡電力増幅器システム。
【請求項５】
前記包絡線処理回路は、包絡線成形ブロックを含む、請求項4に記載の包絡線追跡電力増幅器システム。
【請求項６】
電力増幅器入力を表す信号と電力増幅器供給電圧を表す信号とを受け取るように配置されたデジタルプリディストーションブロックをさらに含む、請求項1から5のいずれか一項に記載の包絡線追跡電力増幅器システム。
【請求項７】
前記デジタルプリディストーションブロックは、入力経路内で提供される、請求項6に記載の包絡線追跡電力増幅器システム。
【請求項８】
前記デジタルプリディストーションブロックは、前記電力増幅器への入力を提供する、請求項7に記載の包絡線追跡電力増幅器システム。
【請求項９】
電力増幅器供給電圧と電力増幅器入力電圧とのアライメントのための遅延ブロックをさらに含む、請求項1から8のいずれか一項に記載の包絡線追跡電力増幅器システム。
【請求項１０】
前記遅延ブロックは、入力経路内の信号に遅延を適用する、請求項9に記載の包絡線追跡電力増幅器システム。
【請求項１１】
RF入力経路と変調された電力増幅器供給を提供するための包絡線経路とを含む包絡線追跡電力増幅器システムであって、
入力信号の複数の周波数帯の包絡線を検出し、それぞれが出力信号を生成するための、複数の包絡線検出器と、
合成包絡線信号を提供するために前記包絡線検出器の前記出力を組み合わせるためのコンバイナと、
電力増幅器入力を表す信号と電力増幅器供給電圧を表す信号とを受け取るように配置されたデジタルプリディストーションブロックと
をさらに含む、包絡線追跡電力増幅器システム。
【請求項１２】
前記デジタルプリディストーションブロックは、前記入力経路内で提供される、請求項11に記載の包絡線追跡電力増幅器システム。
【請求項１３】
前記デジタルプリディストーションブロックは、前記電力増幅器に入力を提供する、請求項12に記載の包絡線追跡電力増幅器システム。
【請求項１４】
前記合成包絡線信号に基づいて、RF増幅器に変調された電力供給を提供する変調器に入力を提供するための包絡線処理回路
をさらに含む、請求項11から13のいずれか一項に記載の包絡線追跡電力増幅器システム。
【請求項１５】
前記包絡線処理回路は、包絡線成形ブロックを含む、請求項14に記載の包絡線追跡電力増幅器システム。
【請求項１６】
前記デジタルプリディストーションブロックは、成形された合成包絡線信号と前記入力信号とを受け取る、請求項15に記載の包絡線追跡電力増幅器システム。
【請求項１７】
それぞれが特定の周波数の入力信号を受け取るための複数の入力経路と、
前記入力経路上の前記信号を組み合わせ、前記組み合わされた入力信号を前記デジタルプリディストーションブロックに提供するためのコンバイナと
をさらに含む、請求項11から16のいずれか一項に記載の包絡線追跡電力増幅器システム。
【請求項１８】
前記電力増幅器供給電圧と前記電力増幅器入力電圧とのアライメントのための遅延ブロックをさらに含む、請求項17に記載の包絡線追跡電力増幅器システム。
【請求項１９】
前記遅延ブロックは、前記入力経路内の信号に遅延を適用する、請求項18に記載の包絡線追跡電力増幅器システム。
【請求項２０】
それぞれが特定の周波数の入力信号を受け取るための複数の入力経路と、
前記それぞれの入力経路内の電力増幅器入力を表す信号と前記電力増幅器供給電圧を表す前記信号とを受け取るように配置された複数のデジタルプリディストーションブロックと、
それぞれが前記それぞれの入力経路内の入力信号を受け取るための複数の電力増幅器と
をさらに含み、前記複数の電力増幅器のそれぞれの前記電力供給は、前記合成包絡線信号に依存して提供される
請求項11から19のいずれか一項に記載の包絡線追跡電力増幅器システム。
【請求項２１】
前記電力増幅器供給電圧と各入力経路内の前記それぞれの電力増幅器入力電圧とのアライメントのための、前記複数の入力経路のそれぞれに遅延ブロックをさらに含む、請求項20に記載の包絡線追跡電力増幅器システム。
【請求項２２】
入力信号の複数の周波数帯の包絡線を検出し、それぞれが出力信号を生成するための複数の包絡線検出器と、
合成包絡線信号を提供するために前記包絡線検出器の前記出力を組み合わせるためのコンバイナと、
それぞれが特定の周波数の入力信号を受け取るための複数の入力経路と、
前記それぞれの入力経路内の電力増幅器入力を表す信号と電力増幅器供給電圧を表す信号とを受け取るように配置された複数のデジタルプリディストーションブロックと、
それぞれが前記それぞれの入力経路内の入力信号を受け取るための複数の電力増幅器と
を含み、前記複数の電力増幅器のそれぞれの電力供給は、前記合成包絡線信号に依存して提供される
包絡線追跡電力増幅器システム。
【請求項２３】
それぞれが出力信号を生成する複数の包絡線検出器内で入力信号の複数の連続周波数帯の包絡線を検出するステップと、
前記包絡線検出器の前記出力を組み合わせるステップと
を含む、RF経路と包絡線経路とを含む包絡線追跡電力増幅器システムのための方法。
【請求項２４】
前記包絡線経路は、それぞれが前記入力信号を受け取るように適合された、対応する複数のフィルタをさらに含み、前記方法は、特定の周波数帯の前記包絡線検出器への入力を生成するステップをさらに含む、請求項23に記載の方法。
【請求項２５】
特定の周波数帯の入力信号を受け取るように各包絡線検出器を適合させるステップを含む、請求項23に記載の方法。
【請求項２６】
前記入力信号は、RF増幅器への入力を提供し、前記包絡線検出器の前記組み合わされた出力に基づいて前記RF増幅器に変調された電力供給を提供する変調器への入力を提供するための包絡線処理回路をさらに含む、請求項23から25のいずれか一項に記載の方法。
【請求項２７】
前記包絡線処理は、包絡線成形を含む、請求項26に記載の方法。
【請求項２８】
電力増幅器入力を表す信号と電力増幅器供給電圧を表す信号とを受け取るように配置されたデジタルプリディストーションを適用するステップさらに含む、請求項23から27のいずれか一項に記載の方法。
【請求項２９】
入力経路内で前記デジタルプリディストーションを提供するステップを含む、請求項28に記載の方法。
【請求項３０】
前記電力増幅器への入力を提供するように前記デジタルプリディストーションを適合させるステップを含む、請求項29に記載の方法。
【請求項３１】
電力増幅器供給電圧と電力増幅器入力電圧とのアライメントのステップをさらに含む、請求項23から30のいずれか一項に記載の方法。
【請求項３２】
入力経路内の信号に遅延を適用するステップを含む、請求項31に記載の方法。
【請求項３３】
それぞれが出力信号を生成する複数の包絡線検出器内で入力信号の複数の周波数帯の包絡線を検出するステップと、
合成包絡線信号を提供するために前記包絡線検出器の前記出力を組み合わせるステップと、
電力増幅器入力を表す信号と電力増幅器供給電圧を表す信号とを受け取ることによって信号のデジタルプリディストーションを行うステップと
を含む、RF入力経路と変調された電力増幅器供給を提供するための包絡線経路とを含む包絡線追跡電力増幅器システムのための方法。
【請求項３４】
前記デジタルプリディストーションは、前記入力経路内で適用される、請求項33に記載の方法。
【請求項３５】
前記デジタルプリディストーションは、前記電力増幅器に入力を提供する、請求項33に記載の方法。
【請求項３６】
前記合成包絡線信号に基づいてRF増幅器に変調された電力供給を提供する変調器に入力を提供するステップ
をさらに含む、請求項33から35のいずれか一項に記載の方法。
【請求項３７】
包絡線成形を行うステップをさらに含む、請求項36に記載の方法。
【請求項３８】
前記デジタルプリディストーションは、成形された合成包絡線信号と前記入力信号とを受け取る、請求項37に記載の方法。
【請求項３９】
複数の入力経路内で特定の周波数の入力信号を受け取るステップと、
前記入力経路上の前記信号を組み合わせ、前記組み合わされた入力信号を前記デジタルプリディストーションに提供するステップと
をさらに含む、請求項33から38のいずれか一項に記載の方法。
【請求項４０】
前記電力増幅器供給電圧と前記電力増幅器入力電圧とのアライメントを行うステップをさらに含む、請求項39に記載の方法。
【請求項４１】
前記入力経路内の信号に遅延を適用するステップを含む、請求項40に記載の方法。
【請求項４２】
複数の入力経路内で特定の周波数の入力信号を受け取るステップと、
前記それぞれの入力経路内の電力増幅器入力を表す信号と前記電力増幅器供給電圧を表す前記信号とにデジタルプリディストーションを行うステップと、
それぞれが前記それぞれの入力経路内の入力信号を受け取るための複数の電力増幅器と
をさらに含み、前記複数の電力増幅器のそれぞれの前記電力供給は、前記合成包絡線信号に依存して提供される
請求項33から41のいずれか一項に記載の方法。
【請求項４３】
前記電力増幅器供給電圧と各入力経路内の前記それぞれの電力増幅器入力電圧とのアライメントのために、前記複数の入力経路のそれぞれで遅延させるステップをさらに含む、請求項42に記載の方法。
【発明の詳細な説明】
【技術分野】
【０００１】
本発明は、電力増幅器の信号入力へのRF入力経路と電力増幅器の供給入力(supply input)への包絡線経路とを有する包絡線追跡(envelope tracking)システムに関する。そのような包絡線追跡システムは、たとえばセルラーシステムまたはWiFiシステム内で利用することができる。
【背景技術】
【０００２】
包絡線追跡電力増幅器システムは、当技術分野で知られており、一般に、電力増幅器の信号入力への、RF入力経路上での増幅される入力信号の供給と、入力信号に基づいて変調される電力供給を生成するための包絡線経路とを含み、変調された電力供給は、電力増幅器の電力供給入力に供給される。
【０００３】
例示的な従来技術の包絡線追跡電力増幅器システムを、図1(a)に示す。増幅される信号、この例ではI成分およびQ成分を有する複素信号が、ソースブロック108によって生成される。増幅される信号は、遅延調整(delay alignment)を提供する遅延ブロック106に供給される。遅延ブロック106の出力は、RF入力経路への信号と包絡線経路への信号とを供給する。RF入力経路内の信号は、RFアップコンバージョンブロック104に供給され、RFアップコンバージョンブロック104は、入力信号をRF信号に変換し、その後、入力を電力増幅器102に供給する。包絡線経路は、包絡線検出器ブロック114内の遅延ブロック106から信号を受け取り、包絡線検出器ブロック114は、この信号の包絡線を検出する。このように検出された包絡線は、包絡線成形ブロック112に供給され、包絡線成形ブロック112は、包絡線を成形し、包絡線成形ブロック112の出力は、供給変調器(supply modulator)110に配送される。供給変調器110の出力は、電力増幅器102の供給端子に変調された供給電圧を提供する。電力増幅器102の出力は、RF出力信号を供給する。
【０００４】
遅延ブロック106は、電力増幅器102の入力に印加される入力経路内のRF信号と電力増幅器102の供給端子に印加される変調された電力供給電圧との間の正確なタイミングアライメントを維持するための遅延調整を提供する。
【０００５】
包絡線成形ブロック112は、成形テーブルを含み、包絡線成形機能を実施し、包絡線経路内の信号からの信号トラフ(signal trough)を除去するために提供され得る。
【０００６】
図1(a)の回路のRF線形化は、包絡線成形ブロック112の包絡線成形機能を調整することによって達成され得る。
【０００７】
図1(b)に、従来技術の包絡線追跡電力増幅器システムの代替実施形態を示す。図1(b)のシステムは、図1(a)のシステムに対応し、同様の符号が、同様の要素を示すのに使用されている。図1(b)は、しかしさらに、遅延ブロック106の出力信号とRFアップコンバージョンブロック104の入力との間に配置されたDPD(デジタルプリディストーション(digital pre-distortion))ブロック116を含む。DPDブロック116は、RF波形のプリディストーションを提供し、システムのRF線形化を達成するために包絡線成形ブロック112に加えてまたはその代わりに作用する。この実施形態では、複素信号のプリディストーションは、包絡線が検出された後の時点で発生する。
【０００８】
図1(c)に、従来技術の包絡線追跡電力増幅器システムの、図1(a)の配置に対するさらなる変更を示す。図1(c)のシステムは、図1(a)のシステムに対応し、同様の符号は、同様の要素を示すのに使用される。図1(c)では、DPDブロック118が、ソースブロック108の出力と遅延ブロック106の入力との間に接続される。したがって、プリディストーションが、包絡線が検出される点の前に適用される。包絡線成形ブロック112の代わりにまたはこれに加えて、DPDブロック118によって提供されるこのプリディストーション機能は、システムのRF線形化を達成する。
【０００９】
従来技術の包絡線追跡システムは、電力増幅器に印加される瞬間供給電圧と電力増幅器に印加されるRF入力信号の瞬間的包絡線との間の1:1関係を維持する。すなわち、RF入力の包絡線の値ごとに、供給電圧の1つの対応する値がある。この1:1関係の結果として、DPDブロックは、1次元であることだけが必要であり、電力増幅器に入力される信号を表す信号だけを受け取る。包絡線検出器ブロック114によって提供される非線形包絡線検出器動作は、包絡線経路内の信号の帯域幅を増やす。通常の実施形態では、供給変調器帯域幅すなわち、包絡線経路内の帯域幅は、RF経路の帯域幅の1.5倍から3倍になるように選択される。
【００１０】
包絡線追跡システムがサポートできる最大帯域幅は、通常、供給変調器110の設計によって決定される。具体的には、大幅なひずみを導入せずに供給変調器がサポートできる最大の電圧信号スルーレートおよび電圧信号スルーレートは、通常、包絡線追跡システムの最大帯域幅を決定する。
【００１１】
ほとんどの現在のセルラーシステムのRF入力経路に必要な最大RF帯域幅は、20MHzであるが、これが、将来のシステムにおいて40MHz以上に上昇することが期待されている。
【００１２】
802.11acなどの将来のWiFiシステムは、160MHzまでの入力経路内でRF(無線周波数)帯域幅をサポートすることが要求される。
【００１３】
40MHzを超える帯域幅を有する供給変調器の設計は、既存の半導体技術を使用すると極端に挑戦的である。さらに、これらのより高い帯域幅のシステムに関して遅延ブロック106によって制御される必要があるサブナノ秒タイミングアライメント正確さは、達成および維持がますます困難になりつつある。
【００１４】
供給変調器の帯域幅およびRFから包絡線への遅延整合要件は、一部の包絡線追跡を使用して大幅に減らされ得る。これは、電力増幅器102内で入力信号を増幅するのに十分な供給電圧を提供するために、供給基準信号の瞬間電圧が、常にフル帯域幅のRF包絡線信号の瞬間電圧より高くなければならないという制約に従って、減らされた帯域幅の供給基準信号が包絡線経路内で生成されることを必要とする。
【００１５】
これを、図2を参照して示すことができる。
【００１６】
図2に、減らされた帯域幅を有する包絡線信号およびフル(通常の)帯域幅を有する包絡線信号に関する、時間に対する電圧供給のプロットを示す。符号202は、減らされた帯域幅の包絡線信号に関する供給電圧を識別し、符号204は、フル帯域幅の包絡線信号に関する供給電圧を示す。
【００１７】
供給基準信号の電圧が、常にフル帯域幅RF包絡線の電圧より高くなければならないという制約がなければ、供給電圧は、実際にある時間にRF包絡線の振幅未満になり得る。この制約は、単純な低域フィルタが包絡線経路内に導入される場合には、満足されない。その場合に、過度の電力増幅器圧縮に起因して、RFプリディストーションを使用してRF信号を線形化することが、可能ではなくなる。
【００１８】
そのようなシステムを用い、この制約を適用すると、瞬間的なRF包絡線信号と瞬間的な供給電圧との間には、もはや1:1マッピングが存在せず、したがって、図1(b)および図1(c)に示された単純な1次元DPDブロック(図1(b)の要素116および図1(c)の要素118)を使用してシステム非線形性を補正することは、可能ではない。
【００１９】
従来技術では、減らされた帯域幅の包絡線を生成する方法が開示されている。IEEE IMS2009論文、J. Jeong他、「Wideband Envelope Tracking Power Amplifier with Reduced Bandwidth Power Supply Waveform」と、A. Cesari他、「A DSP Structure authorising Reduced-Bandwidth DC/DC converters for Dynamic Supply of RF Amplifiers in Wideband Applications」、Proc. Industrial Electronics Conf. 2006年11月とを参照することができる。
【発明の概要】
【発明が解決しようとする課題】
【００２０】
本発明の目的は、包絡線経路内の帯域幅が減らされる、改良された包絡線追跡電力増幅器システムを提供することである。
【課題を解決するための手段】
【００２１】
本発明は、RF経路と包絡線経路とを含む包絡線追跡電力増幅器システムであって、包絡線経路は、入力信号の複数の連続周波数帯の包絡線を検出し、それぞれが出力信号を生成するための、複数の包絡線検出器と、包絡線検出器の出力を組み合わせるためのコンバイナとを含む、包絡線追跡電力増幅器システムを提供する。
【００２２】
包絡線経路は、それぞれが入力信号を受け取るように適合された、特定の周波数帯の包絡線検出器への入力を生成するための対応する複数のフィルタをさらに含むことができる。
【００２３】
各包絡線検出器は、特定の周波数帯の入力信号を受け取るように適合され得る。
【００２４】
入力信号は、RF増幅器への入力を提供し、包絡線検出器の組み合わされた出力に基づいてRF増幅器に変調された電力供給を提供する変調器への入力を提供するための包絡線処理回路をさらに含むことができる。包絡線処理回路は、包絡線成形ブロックを含むことができる。
【００２５】
包絡線追跡電力増幅器システムは、電力増幅器入力を表す信号と電力増幅器供給電圧を表す信号とを受け取るように配置されたデジタルプリディストーションブロックをさらに含むことができる。デジタルプリディストーションブロックは、入力経路内で提供され得る。デジタルプリディストーションブロックは、電力増幅器への入力を提供することができる。
【００２６】
包絡線追跡電力増幅器システムは、電力増幅器供給電圧と電力増幅器入力電圧とのアライメントのための遅延ブロックをさらに含むことができる。遅延ブロックは、入力経路内の信号に遅延を適用することができる。
【００２７】
本発明は、RF入力経路と変調された電力増幅器供給を提供するための包絡線経路とを含む包絡線追跡電力増幅器システムであって、入力信号の複数の周波数帯の包絡線を検出し、それぞれが出力信号を生成するための、複数の包絡線検出器と、合成包絡線信号を提供するために包絡線検出器の出力を組み合わせるためのコンバイナと、電力増幅器入力を表す信号と電力増幅器供給電圧を表す信号とを受け取るように配置されたデジタルプリディストーションブロックとをさらに含む、包絡線追跡電力増幅器システムをも提供する。
【００２８】
デジタルプリディストーションブロックは、入力経路内で提供され得る。デジタルプリディストーションブロックは、電力増幅器に入力を提供することができる。
【００２９】
包絡線追跡電力増幅器システムは、合成包絡線信号に基づいてRF増幅器に変調された電力供給を提供する変調器に入力を提供するための包絡線処理回路をさらに含むことができる。包絡線処理回路は、包絡線成形ブロックを含むことができる。デジタルプリディストーションブロックは、成形された合成包絡線信号と入力信号とを受け取ることができる。
【００３０】
包絡線追跡電力増幅器システムは、それぞれが特定の周波数の入力信号を受け取るための複数の入力経路と、入力経路上の信号を組み合わせ、組み合わされた入力信号をデジタルプリディストーションブロックに提供するためのコンバイナとをさらに含むことができる。
【００３１】
包絡線追跡電力増幅器システムは、電力増幅器供給電圧と電力増幅器入力電圧とのアライメントのための遅延ブロックをさらに含むことができる。遅延ブロックは、入力経路内の信号に遅延を適用することができる。
【００３２】
包絡線追跡電力増幅器システムは、それぞれが特定の周波数の入力信号を受け取るための複数の入力経路と、それぞれの入力経路内の電力増幅器入力を表す信号と電力増幅器供給電圧を表す信号とを受け取るように配置された複数のデジタルプリディストーションブロックと、それぞれがそれぞれの入力経路内の入力信号を受け取るための複数の電力増幅器とをさらに含むことができ、複数の電力増幅器のそれぞれの電力供給は、合成包絡線信号に依存して提供される。
【００３３】
包絡線追跡電力増幅器システムは、電力増幅器供給電圧と各入力経路内のそれぞれの電力増幅器入力電圧とのアライメントのための、複数の入力経路のそれぞれに遅延ブロックをさらに含むことができる。
【００３４】
本発明は、入力信号の複数の周波数帯の包絡線を検出し、それぞれが出力信号を生成するための複数の包絡線検出器と、合成包絡線信号を提供するために包絡線検出器の出力を組み合わせるためのコンバイナと、それぞれが特定の周波数の入力信号を受け取るための複数の入力経路と、それぞれの入力経路内の電力増幅器入力を表す信号と電力増幅器供給電圧を表す信号とを受け取るように配置された複数のデジタルプリディストーションブロックと、それぞれがそれぞれの入力経路内の入力信号を受け取るための複数の電力増幅器とを含み、複数の電力増幅器のそれぞれの電力供給は、合成包絡線信号に依存して提供される包絡線追跡電力増幅器システムをさらに提供する。
【００３５】
本発明は、任意の定義された装置の機能を実行するように適合された方法をさらに提供する。
【００３６】
これから、図面を参照して、例によって本発明を説明する。
【図面の簡単な説明】
【００３７】
【図１（ａ）】RF線形化を達成するための包絡線追跡電力増幅器システムの従来技術の実施形態を示す図である。
【図１（ｂ）】RF線形化を達成するための包絡線追跡電力増幅器システムの従来技術の実施形態を示す図である。
【図１（ｃ）】RF線形化を達成するための包絡線追跡電力増幅器システムの従来技術の実施形態を示す図である。
【図２】減らされた包絡線経路帯域幅およびフル包絡線経路帯域幅に関する変調された供給電圧の波形を示す図である。
【図３】RF線形化を達成するために減らされた包絡線帯域幅と2次元DPD要素とをを有する包絡線追跡電力増幅器システムの実施形態を示す図である。
【図４（ａ）】ある配置による、サブバンド信号を生成する原理を示す図である。
【図４（ｂ）】ある配置による、サブバンド信号を生成する原理を示す図である。
【図４（ｃ）】ある配置による、サブバンド信号を生成する原理を示す図である。
【図４（ｄ）】ある配置による、サブバンド信号を生成する原理を示す図である。
【図５（ａ）】ソース信号がサブバンドに分割される配置による、包絡線信号の帯域幅を減らすための包絡線経路内の回路の実施形態を示す図である。
【図５（ｂ）】ソース信号がサブバンドに分割される配置による、包絡線信号の帯域幅を減らすための包絡線経路内の回路の実施形態を示す図である。
【図６（ａ）】搬送波信号が別々に生成されることに依存して減らされた帯域幅の信号を生成するための包絡線経路内の回路を示す図である。
【図６（ｂ）】搬送波信号が別々に生成されることに依存して減らされた帯域幅の信号を生成するための包絡線経路内の回路を示す図である。
【発明を実施するための形態】
【００３８】
これから、好ましい例および好ましい実施形態を参照することによって本発明を説明する。しかし、当業者は、本発明が、下で示される特定の例にその応用を限定されないことを了解する。
【００３９】
RF入力信号の瞬間的なRF包絡線と瞬間的な供給電圧との両方に依存するプリディストーションを適用する2次元DPDブロックを使用することによって、包絡線経路帯域幅削減から生じる非線形性について補正することが可能である。2次元DPDブロックは、電力増幅器への瞬間的な供給入力を表す信号と、電力増幅器への信号入力を表す信号とを受け取る。
【００４０】
2次元DPDブロックを組み込んだ包絡線追跡電力増幅器システムの実施形態を、図3に示す。図3のシステムでは、同様の符号が、前の図面の同様の要素を識別するのに使用される。図3に示されているように、2次元DPDブロックは、符号302によって識別され、遅延ブロック106の出力とRFアップコンバージョンブロック104の入力との間に配置される。この配置の2次元DPDブロックは、2つの入力(その2つの次元と称する)を有し、その結果、信号線304上で遅延ブロック106の出力を受け取る(図1(a)と同様に)ことに加えて、DPDブロックは、第2の入力として、信号線306上で包絡線成形ブロック112の出力をさらに受け取るようになっている。
【００４１】
図3にさらに示されているのは、従来技術の技法に従って包絡線経路内の帯域幅削減を適用するブロック308であり、ブロック308は、包絡線検出器ブロック114の出力と包絡線成形テーブル112の入力との間に接続される。
【００４２】
図4(a)を参照すると、入力信号を形成し、電力増幅器によって増幅される複素ベースバンドIQ信号の、周波数に対する振幅のプロットが示されている。この信号は、Fmの帯域幅を有する。
【００４３】
図4(a)は、入力IQ信号のスペクトルに関する、周波数に対する振幅のプロットを示す。図4(a)に示されているように、この信号は、それぞれ符号402および404によって表される-Fm/2からFm/2まで延びる周波数スペクトル偏差を有する。所与の信号のスペクトルは、0Hzの前後で対称になる。スペクトルは、図4(a)の符号406によって示される振幅を有する。
【００４４】
図4(b)に、そのような入力信号スペクトルから生じる包絡線経路内の基準信号のスペクトルに関する周波数に対する振幅のプロットを示す。これは、包絡線検出の後の図4(a)の信号のスペクトルである。この図からわかるように、包絡線検出器の数学演算は、より広い帯域幅の信号をもたらす。図4(b)からわかるように、この信号は、符号410によって表される周波数Fmを大幅に超える、符号412によって表される周波数軸上の点まで延びる帯域幅を有する。この信号の帯域幅は、0周波数を表す点408から点410によって表される周波数Fmを超える点412まで延びる。図4(b)に示されているように、この信号は、周波数Fmまで、符号414によって表される値の振幅を有し、その後、周波数Fmの後に、この信号の振幅は、符号412によって表される周波数で徐々に0に達するまで、大きく低下する。
【００４５】
したがって、図4(b)に示されているように、図4(b)に示された包絡線信号の帯域幅(>>Fm)は、図4(a)に示された入力信号の帯域幅(Fm)より広い。
【００４６】
ベースバンド信号を、n個のサブバンドから構成されると考えることができ、n≧2である。説明のために、n=2と仮定する。サブバンド信号のそれぞれのベースバンド表現を、図4(c)に示されているように計算することができる。
【００４７】
図4(c)を参照すると、ベースバンド複素IQ信号の2つのサブバンドの周波数スペクトルが示されている。各スペクトル信号は、符号424によって表される振幅を有する。第1のサブバンドは、符号416によって表される周波数-Fm/2から符号418によって表される0まで延びるスペクトルを有する。第2のサブバンドは、符号418によって表される周波数0から符号420によって表される周波数Fm/2まで延びる帯域を有する。
【００４８】
図4(d)は、包絡線検出器に適用された後の包絡線経路内のこの2つのサブバンドに関連する信号の包絡線スペクトルを示す。図4(d)に示されているように、各サブバンドは、それ自体のスペクトルを有する。プロット420によって表されるスペクトルが、第1のサブバンドに対応し、プロット428によって表されるスペクトルが、第2のサブバンドに対応すると仮定する。
【００４９】
それぞれのサブバンド420および428は、符号430によって表される0周波数で符号438および440によって表されるそれぞれの振幅を有し、この振幅は、全般的に符号432によって表される周波数Fm/2まで延びる。実際には、符号438および440によって表される振幅は、同一であり、これらは、図示のために図4(d)では異なるレベルに示されている。符号432によって表される周波数Fm/2では、それぞれのスペクトルの振幅が大幅に低下し、その後、振幅が徐々に0に向かって減少し、プロット420によって表されるスペクトルの振幅は、周波数軸上で符号434によって表される0の振幅に達し、プロット428の振幅は、周波数軸上で符号436によって表される0に達する。
【００５０】
この図からわかるように、サブバンドのそれぞれの包絡線スペクトルは、お互いに重なり合う。サブバンド信号のそれぞれの包絡線スペクトルは、その搬送波周波数とは独立である。
【００５１】
サブバンド包絡線スペクトルの帯域幅は、包絡線信号のフル帯域幅の帯域幅の1/nであり、この場合にはFm/2である。これを、図4(d)に見ることができる。
【００５２】
減らされた帯域幅の基準信号を、個々のサブバンド包絡線信号の合計として計算することができる。この信号は、サブバンド包絡線のそれぞれと同一の帯域幅を有し、さらに、減らされた帯域幅の包絡線信号が常にフル帯域幅包絡線信号より大きい振幅を有するという必須の判断基準を満足し、たとえば、図4(d)が、振幅424を超える振幅438+振幅440の振幅を与える場合に、2つのサブバンドのスペクトルを一緒に加算する。これが、図2に示されており、図2では、減らされた帯域幅の包絡線202の振幅が、必ずフル帯域幅の包絡線信号204の振幅より大きい。
【００５３】
これらの原理による、包絡線追跡電力増幅器システムの例の実施形態を、図5(a)に示す。同様の符号が、前の図面の構成要素に対応する構成要素を示すのに使用されている。
【００５４】
図5(a)からわかるように、図3の包絡線検出器ブロック114は、包絡線検出ブロック502によって置換される。包絡線検出ブロック502は、ベースバンド信号が分割されるサブバンドの個数に対応する複数のサブバンドフィルタを含む。図5(a)の例では、ベースバンド信号が、n個のサブバンドに分割されると仮定され、したがって、第1のサブバンドフィルタ5081および第nのサブバンドフィルタ508nが図示されている。サブバンドフィルタの個数がサブバンドの個数に対応することは、明白である。複数の包絡線検出器が、入力信号の複数の連続する周波数帯の包絡線を検出する。
【００５５】
各サブバンドフィルタの出力は、包絡線検出ブロックへの入力を供給する。したがって、サブバンドフィルタ5081の出力は、包絡線検出ブロック5061への入力を供給し、サブバンドフィルタ508nの出力は、包絡線検出ブロック506nへの入力を供給する。包絡線検出ブロックの個数が、サブバンドフィルタの個数に対応し、同様にベースバンド信号が分割されるサブバンドの個数に対応することは、明白である。
【００５６】
各包絡線検出ブロックの出力、図5(a)の例では包絡線検出ブロック5061から506nまでの出力は、コンバイナ504内で組み合わされ、コンバイナ504は、その出力で、包絡線検出ブロックの組み合わされた出力を生成する。
【００５７】
コンバイナ504の出力の組み合わされた出力は、包絡線成形機能112への入力として供給される。
【００５８】
OFDMは、その高いスペクトル効率およびマルチパス免疫性の理由で、多数の現在のおよび将来の通信システムに関して好まれる変調方法である。OFDMは、多数(Nと表される)の狭い副搬送波を含み、この副搬送波のそれぞれが、相対的に遅いレートで変調される。Nは、通常、逆高速フーリエ変換(FFT)を使用する変調の効率的な計算を可能にするために、2のべき乗になるように選択される。
【００５９】
nも2のべき乗(通常は2または4)になるように選択される場合には、サブバンド包絡線を、フル帯域幅信号を計算するためにすでに必要なハードウェアを共有することによって、効率的に計算することができる。
【００６０】
図5(b)に、ハードウェアをこの形で共有することができる実施形態を示す。
【００６１】
図5(b)は、包絡線経路の入力信号がベースバンドから直接に生成される、代替実施形態を示す。やはり同様の符号が、前の図面の要素に対応する要素を識別するために、図5(b)で使用されている。
【００６２】
図5(b)に示されているように、ソースブロック108および遅延ブロック106は、信号線304上で2次元DPDブロック302への信号を生成し、サブバンド包絡線信号を生成するように適合される。包絡線経路は、ベースバンドから直接に信号を入手する。
【００６３】
図5(a)のソースブロック108は、図5(b)において、符号512によって表されるベースバンド変調器によって置換され、ベースバンド変調器512は、複数のサブバンド出力を含む直交周波数分割多重(OFDM)変調器である。
【００６４】
ベースバンド変調器512は、遅延調整ブロック106への連続フル帯域信号を生成するためのブロック514を含む。さらに、変調器は、ベースバンド信号が分割されるサブバンドの個数に対応し、その合成が連続周波数信号のうちの1つの信号である、ディスクリートサブバンド信号を生成するブロック5161から516nを含む。
【００６５】
各サブバンドブロック5161から516nは、それぞれの包絡線検出器5181から518nへの信号を生成する。図5(a)の配置と同様に、包絡線検出器5181から518nの出力は、コンバイナ520によって組み合わされて、包絡線成形機能112の信号を生成する。したがって、複数の包絡線検出器が、入力信号の複数の連続する周波数帯の包絡線を検出する。
【００６６】
上で説明された包絡線帯域幅削減技法は、包絡線経路帯域幅の大きい削減を可能にする。たとえば、4つのサブバンドが使用される場合に、包絡線帯域幅は、従来のフル帯域幅包絡線追跡システムの包絡線帯域幅の1/4に減らされる。しかし、減らされた帯域幅の平均電圧は、フル帯域幅システムの平均電圧より高く、より少ない包絡線追跡効率改善をもたらす。しかし、それでも、802.11ac MCS9など、非常に高いPAPR(ピーク対平均電力比)を示す高次の搬送波変調(たとえば、256QAM)を使用する信号の、4または8の帯域幅削減係数を用いて、有用な効率強化を達成することができることに留意されたい。
【００６７】
上で注記したように、サブバンド信号のそれぞれの包絡線スペクトルは、その搬送波周波数とは独立である。したがって、この技法は、連続広帯域信号の包絡線帯域幅削減に限定されるのではなく、LTE (long-term evolution)キャリアアグリゲーションに存在する可能性があるものなど、複数の独立の周波数分離された搬送波に関する変調された供給を生成するのに使用され得る。
【００６８】
独立の周波数分離された搬送波の場合に、結果の供給帯域幅は、搬送波分離にかかわりなく、最大帯域幅の搬送波の帯域幅である。
【００６９】
図6(a)および図6(b)は、連続する周波数帯の合成信号ではなく、独立の周波数分離された搬送波が利用される、包絡線追跡電力増幅器システムに適用された前述の技法の例示的実施形態を示す。上と同様に、符号は、前の図面に示された要素に対応する要素を指すために、図面内で使用されている。
【００７０】
図6(a)を参照すると、図5(b)の配置と同様に、遅延ブロック106が、増幅される信号である1つの入力を受け取る。包絡線経路は、包絡線信号を直接に受け取る。
【００７１】
より具体的には、ディスクリート独立搬送波信号は、符号6021から602nによって表されるディスクリート独立搬送波生成ブロックによって生成される。この例では、n個の搬送波信号が生成され得ると仮定する。各搬送波生成ブロック6021から602nの出力は、コンバイナ608に供給され、コンバイナ608は、その出力上で、遅延ブロック106への組み合わされた信号を生成する。
【００７２】
さらに、各ディスクリート搬送波生成ブロック6021から602nの出力は、それぞれの包絡線検出ブロック6041から604nに入力される。図5(b)の配置など、前述の配置と同様に、各包絡線検出ブロック6041から604nの出力は、コンバイナ606によって組み合わされ、コンバイナ606は、包絡線成形機能112への組み合わされた出力信号を生成する。
【００７３】
図6(a)の配置は、単一の広帯域電力増幅器が独立搬送波を増幅するのに使用されるシステムアーキテクチャを提供する。そのようなアーキテクチャに関して、2次元DPDブロック302の帯域幅は、すべての搬送波周波数を収容するのに十分に広くなければならない。したがって、図6(a)に示されたアーキテクチャは、独立搬送波周波数の間の搬送波分離が相対的に小さい、帯域内キャリアアグリゲーションに最適である。
【００７４】
図6(b)は、単一の電力増幅器ではなく複数の電力増幅器が使用される、代替実施形態を示す。複数の電力増幅器に関する単一の包絡線経路が、複数のRF入力経路と組み合わせて使用される。
【００７５】
前の図面と同様に、図6(b)に示された要素は、その要素が同様の機能性を提供する場合に、前の図面に対応する符号によって表される。
【００７６】
図6(b)では、複数の電力増幅器が設けられる例を表すn個の電力増幅器が設けられている。RF入力経路は、複数のRF入力経路であるが、その機能性において前述の図面の入力経路に対応し、したがって、DPDブロック、RFアップコンバージョンブロック、および電力増幅器は、添字によって表される。したがって、第1のRF入力経路は、DPDブロック3021、RFアップコンバージョンブロック1041、および電力増幅器1021を含む。第nのRF入力経路と表されるさらなるRF入力経路は、DPDブロック302n、RFアップコンバージョンブロック104n、および電力増幅器102nを含む。電力増幅器1021から102nの出力は、単一の出力信号を提供するためにコンバイナ610内で組み合わされる。
【００７７】
搬送波生成ブロック6021によって供給される搬送波は、遅延調整ブロック1061に入力信号を供給し、遅延調整ブロック1061は、DPDブロック3021に入力を供給する。第nの搬送波生成ブロック602nは、遅延調整ブロック106nに入力信号を供給し、遅延調整ブロック106nは、DPDブロック302nに入力を供給する。
【００７８】
図6(a)の配置と同様に、搬送波生成ブロック6021から602nは、それぞれの包絡線検出ブロック6041から604nへの入力を生成し、これらの入力は、コンバイナ606内で組み合わされて、包絡線成形機能112への入力を提供する。
【００７９】
したがって、図6(b)は、単一の変調器が、大きい搬送波周波数分離を有する可能性がある2つの同時にアクティブな電力増幅器に単一の変調された供給を提供するのに使用されるアーキテクチャを示す。この変形形態のDPD帯域幅要件は、従来の2次元DPD解決策に関して要求されるものを超えない。
【００８０】
本明細書で説明された包絡線追跡システムを、複数の異なる応用例で利用することができる。たとえば、この包絡線追跡システムを、ワイヤレスシステムのワイヤレス送受話器またはインフラストラクチャ要素内など、セルラーシステムまたはWiFiシステム内で実施することができる。
【００８１】
本発明を、さまざまな例示的システムでの実施形態に対する例によって説明した。当業者は、本発明を、示されたシステム以外のシステム内で提供できることを理解する。
【符号の説明】
【００８２】
102  電力増幅器
1021  電力増幅器
102n  電力増幅器
104  RFアップコンバージョンブロック
1041  RFアップコンバージョンブロック
104n  RFアップコンバージョンブロック
106  遅延ブロック
1061  遅延ブロック
106n  遅延ブロック
108  ソースブロック
110  供給変調器
112  包絡線成形ブロック
114  包絡線検出器ブロック
116  DPDブロック
118  DPDブロック
202  減らされた帯域幅の包絡線信号に関する供給電圧
204  フル帯域幅の包絡線信号に関する供給電圧
302  2次元DPDブロック
3021  DPDブロック
302n  DPDブロック
304  信号線
306  信号線
308  ブロック
420  サブバンド
424  振幅
428  サブバンド
440  振幅
502  包絡線検出ブロック
504  コンバイナ
5061  包絡線検出ブロック
506n  包絡線検出ブロック
5081  第1のサブバンドフィルタ
508n  第nのサブバンドフィルタ
512  ベースバンド変調器
514  連続フル帯域信号を生成するためのブロック
5161  ディスクリートサブバンド信号を生成するブロック
516n  ディスクリートサブバンド信号を生成するブロック
5181  包絡線検出器
518n  包絡線検出器
520  コンバイナ
6021  ディスクリート独立搬送波生成ブロック
602n  ディスクリート独立搬送波生成ブロック
6041  包絡線検出ブロック
604n  包絡線検出ブロック
606  コンバイナ
608  コンバイナ
610  コンバイナ
【図１（ａ）】
2016538761.tif 000003
【図１（ｂ）】
2016538761.tif 000004
【図１（ｃ）】
2016538761.tif 000005
【図２】
2016538761.tif 000006
【図３】
2016538761.tif 000007
【図４（ａ）】
2016538761.tif 000008
【図４（ｂ）】
2016538761.tif 000009
【図４（ｃ）】
2016538761.tif 000010
【図４（ｄ）】
2016538761.tif 000011
【図５（ａ）】
2016538761.tif 000012
【図５（ｂ）】
2016538761.tif 000013
【図６（ａ）】
2016538761.tif 000014
【図６（ｂ）】
2016538761.tif 000015
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
RF経路と包絡線経路とを含む包絡線追跡電力増幅器システムであって、前記包絡線経路は、
入力信号の複数の連続周波数帯の包絡線を検出し、それぞれが出力信号を生成するための、複数の包絡線検出器と、
前記包絡線検出器の前記出力信号を組み合わせるためのコンバイナと
を含む、包絡線追跡電力増幅器システム。
【請求項２】
前記包絡線経路は、それぞれが前記入力信号を受け取るように適合され、特定の周波数帯の前記包絡線検出器への入力を生成するための対応する複数のフィルタをさらに含む、請求項1に記載の包絡線追跡電力増幅器システム。
【請求項３】
各包絡線検出器は、特定の周波数帯の入力信号を受け取るように適合される、請求項1に記載の包絡線追跡電力増幅器システム。
【請求項４】
前記入力信号は、RF増幅器への入力を提供し、前記包絡線検出器の前記組み合わされた出力に基づいて前記RF増幅器に変調された電力供給を提供する変調器への入力を提供するための包絡線処理回路をさらに含む、請求項1から3のいずれか一項に記載の包絡線追跡電力増幅器システム。
【請求項５】
前記包絡線処理回路は、包絡線成形ブロックを含む、請求項4に記載の包絡線追跡電力増幅器システム。
【請求項６】
電力増幅器入力を表す信号と電力増幅器供給電圧を表す信号とを受け取るように配置されたデジタルプリディストーションブロックをさらに含む、請求項1から5のいずれか一項に記載の包絡線追跡電力増幅器システム。
【請求項７】
前記デジタルプリディストーションブロックは、入力経路内で提供される、請求項6に記載の包絡線追跡電力増幅器システム。
【請求項８】
前記デジタルプリディストーションブロックは、前記電力増幅器への入力を提供する、請求項7に記載の包絡線追跡電力増幅器システム。
【請求項９】
電力増幅器供給電圧と電力増幅器入力電圧とのアライメントのための遅延ブロックをさらに含む、請求項1から8のいずれか一項に記載の包絡線追跡電力増幅器システム。
【請求項１０】
前記遅延ブロックは、入力経路内の信号に遅延を適用する、請求項9に記載の包絡線追跡電力増幅器システム。
【請求項１１】
RF入力経路と、
変調された電力増幅器供給を提供するための包絡線経路とを含む包絡線追跡電力増幅器システムであって、前記包絡線経路は、
1つまたは複数の入力信号の複数の周波数帯の包絡線を検出し、それぞれが出力信号を生成するための、複数の包絡線検出器と、
合成包絡線信号を提供するために前記包絡線検出器の前記出力信号を組み合わせるためのコンバイナと、
電力増幅器への入力を表す信号と前記電力増幅器の供給電圧を表す信号とを受け取るように配置されたデジタルプリディストーションブロックと
を含む、包絡線追跡電力増幅器システム。
【請求項１２】
前記デジタルプリディストーションブロックは、前記入力経路内で提供される、請求項11に記載の包絡線追跡電力増幅器システム。
【請求項１３】
前記デジタルプリディストーションブロックは、前記電力増幅器に前記入力を提供する、請求項12に記載の包絡線追跡電力増幅器システム。
【請求項１４】
前記合成包絡線信号に基づいて、前記電力増幅器に前記変調された電力増幅器供給を提供する変調器に入力を提供するための包絡線処理回路
をさらに含む、請求項11から13のいずれか一項に記載の包絡線追跡電力増幅器システム。
【請求項１５】
前記包絡線処理回路は、包絡線成形ブロックを含む、請求項14に記載の包絡線追跡電力増幅器システム。
【請求項１６】
前記デジタルプリディストーションブロックは、成形された合成包絡線信号と前記入力信号のうちの1つとを受け取る、請求項15に記載の包絡線追跡電力増幅器システム。
【請求項１７】
別のコンバイナをさらに含み、入力信号のそれぞれは、特定の周波数に関連し、前記別のコンバイナは、入力信号を組み合わせ、前記組み合わされた入力信号を前記デジタルプリディストーションブロックに提供するためのものである、請求項11から16のいずれか一項に記載の包絡線追跡電力増幅器システム。
【請求項１８】
前記供給電圧と前記電力増幅器への入力とのアライメントのための遅延ブロックをさらに含む、請求項17に記載の包絡線追跡電力増幅器システム。
【請求項１９】
前記遅延ブロックは、前記入力経路内の入力信号のうちの1つに遅延を適用する、請求項18に記載の包絡線追跡電力増幅器システム。
【請求項２０】
別の電力増幅器を有する別のRF入力経路であって、入力信号のそれぞれは特定の周波数に関連する、別のRF入力経路と、
前記別のRF入力経路内の前記別の電力増幅器への入力を表す信号と前記供給電圧を表す前記信号とを受け取るように配置された別のデジタルプリディストーションブロックと
をさらに含み、前記電力増幅器の前記供給電圧は、前記合成包絡線信号に依存して提供される
請求項11から19のいずれか一項に記載の包絡線追跡電力増幅器システム。
【請求項２１】
前記供給電圧と各入力経路内のそれぞれの電力増幅器への前記入力とのアライメントのための、前記各入力経路内の遅延ブロックをさらに含む、請求項20に記載の包絡線追跡電力増幅器システム。
【請求項２２】
それぞれが特定の周波数帯内の入力信号を受け取るための複数の入力経路と、
それぞれが特定の周波数帯内の前記入力信号の包絡線を検出し、それぞれが出力信号を生成するための複数の包絡線検出器と、
合成包絡線信号を提供するために前記包絡線検出器の前記出力信号を組み合わせるためのコンバイナと、
それぞれが前記それぞれの入力経路内の前記入力信号を受け取るための複数の電力増幅器であって、前記複数の電力増幅器のそれぞれの電力供給は、前記合成包絡線信号に依存して提供される、複数の電力増幅器と、
前記それぞれの入力経路内の電力増幅器入力を表す信号と前記電力供給を表す信号とを受け取るように配置された複数のデジタルプリディストーションブロックと
を含む包絡線追跡電力増幅器システム。
【請求項２３】
包絡線経路内で、それぞれが出力信号を生成する複数の包絡線検出器内で入力信号の複数の連続周波数帯の包絡線を検出するステップと、
前記包絡線検出器の前記出力信号を組み合わせるステップと
を含む、RF経路と前記包絡線経路とを含む包絡線追跡電力増幅器システムのための方法。
【請求項２４】
前記包絡線経路は、それぞれが前記入力信号を受け取るように適合された、対応する複数のフィルタをさらに含み、前記方法は、特定の周波数帯の前記包絡線検出器への入力を生成するステップをさらに含む、請求項23に記載の方法。
【請求項２５】
特定の周波数帯の入力信号を受け取るように各包絡線検出器を適合させるステップを含む、請求項23に記載の方法。
【請求項２６】
前記入力信号は、RF増幅器への入力を提供し、前記包絡線検出器の前記組み合わされた出力に基づいて、前記RF増幅器に変調された電力供給を提供する変調器への入力を提供するための包絡線処理回路をさらに含む、請求項23から25のいずれか一項に記載の方法。
【請求項２７】
前記包絡線処理は、包絡線成形を含む、請求項26に記載の方法。
【請求項２８】
電力増幅器入力を表す信号と電力増幅器供給電圧を表す信号とを受け取るように配置されたデジタルプリディストーションを適用するステップさらに含む、請求項23から27のいずれか一項に記載の方法。
【請求項２９】
入力経路内で前記デジタルプリディストーションを提供するステップを含む、請求項28に記載の方法。
【請求項３０】
前記電力増幅器への入力を提供するように前記デジタルプリディストーションを適合させるステップを含む、請求項29に記載の方法。
【請求項３１】
電力増幅器供給電圧と電力増幅器入力電圧とのアライメントのステップをさらに含む、請求項23から30のいずれか一項に記載の方法。
【請求項３２】
入力経路内の信号に遅延を適用するステップを含む、請求項31に記載の方法。
【請求項３３】
包絡線経路内でそれぞれが出力信号を生成する複数の包絡線検出器内で1つまたは複数の入力信号の複数の周波数帯の包絡線を検出するステップと、
合成包絡線信号を提供するために前記包絡線検出器の前記出力信号を組み合わせるステップと、
電力増幅器への入力を表す信号と前記電力増幅器の供給電圧を表す信号とを受け取ることによって信号のデジタルプリディストーションを行うステップと
を含む、RF入力経路と変調された電力増幅器供給を提供するための前記包絡線経路とを含む包絡線追跡電力増幅器システムのための方法。
【請求項３４】
前記デジタルプリディストーションは、前記入力経路内で適用される、請求項33に記載の方法。
【請求項３５】
前記デジタルプリディストーションは、前記電力増幅器に前記入力を提供する、請求項33に記載の方法。
【請求項３６】
前記合成包絡線信号に基づいて前記電力増幅器に前記変調された電力増幅器供給を提供する変調器に入力を提供するステップ
をさらに含む、請求項33から35のいずれか一項に記載の方法。
【請求項３７】
前記合成包絡線信号の包絡線成形を行うステップをさらに含む、請求項36に記載の方法。
【請求項３８】
前記デジタルプリディストーションは、成形された合成包絡線信号と前記入力信号とに適用される、請求項37に記載の方法。
【請求項３９】
前記入力信号を組み合わせるステップであって、前記入力信号のそれぞれは、特定の周波数に関連し、前記デジタルプリディストーションは、前記組み合わされた入力信号に適用される、組み合わせるステップ
をさらに含む、請求項33から38のいずれか一項に記載の方法。
【請求項４０】
前記供給電圧と前記電力増幅器への入力とのアライメントを行うステップをさらに含む、請求項39に記載の方法。
【請求項４１】
前記入力経路内の入力信号のうちの1つに遅延を適用するステップを含む、請求項40に記載の方法。
【請求項４２】
別のRF入力経路内の別の電力増幅器への入力を表す信号と前記供給電圧を表す前記信号とにデジタルプリディストーションを行うステップであって、前記入力信号のそれぞれは、特定の周波数に関連する、デジタルプリディストーションを行うステップ
をさらに含み、前記電力増幅器の前記供給電圧は、前記合成包絡線信号に依存して提供される
請求項33から41のいずれか一項に記載の方法。
【請求項４３】
前記供給電圧と各入力経路内のそれぞれの電力増幅器への前記入力とのアライメントを行うステップをさらに含む、請求項42に記載の方法。
【国際調査報告】
2016538761.tif 000016
2016538761.tif 000017
2016538761.tif 000018